(57)【要約】      （修正有）【課題】低音弦の調律を変えることなく、低音弦を増やすこともなく、更には、本体サイズも変えることなく、既存の低音弦のみで手軽に低音域を拡張したり元の音程に戻したりする事のできる弦楽器を提供する。【解決手段】指板先端に取り付けられた低音弦部分を取り除いた高音弦用ナット７と、サドルからの弦長を高音弦用ナットより長く取った位置に設置した低音弦用ナット８と、高音弦用ナットの低音弦部分が取り除かれた部分から低音弦用ナットまでの間に設置した新たな指板１０と、指板に新たに備えられた−１フレット１２と０フレット１１を備える。【選択図】図２
0003174847.tif 000002
【実用新案登録請求の範囲】
【請求項１】
指板先端に取り付けられた低音弦部分を取り除いた高音弦用ナットと、サドルからの弦長を前記高音弦用ナットより長く取った位置に設置した低音弦用ナットと、前記高音弦用ナットの低音弦部分が取り除かれた部分から前記低音弦用ナットまでの間に設置した新たな指板とを備え、前記新たな指板上の所定の位置に−１フレットを設置した弦楽器において、前記低音弦が、前記高音弦用ナットの低音弦部分が取り除かれた位置にて、ナットにより開放で出していた音程の音を、前記新たな指板上にて、押し弦することにより出せる位置に設置した０フレットを設置した事を特徴とするフレット使用弦楽器。
【考案の詳細な説明】
【技術分野】
【０００１】    本発明は、フレット使用弦楽器の低音域の拡張に関するものである。
【背景技術】
【０００２】    ４度調律弦楽器のギターやベースの最低音は、Ｅ（ギターＥ２、ベースＥ１）である。【０００３】    その最低音より低い音程を出すために、ギターでは、低音弦を一本追加し７弦ギターにしたり、第６弦の調律の音程を下げて調律する事によって低音域を拡張する工夫をしている。【０００４】    また、４度調律である各弦間の調律を５度調律にして低音域を拡張する工夫をしたりもしている。【０００５】    そのほか、ギターのすべての弦の弦長を従来よりも長くし、４度低い音程に調律にすることによって低音域を拡張しているサイズの一回り大きいバスギターもある。【０００６】    ベースでは、従来の４弦ベースを、５弦ベースや６弦ベースにして低音域を拡張する工夫をしている。【０００７】    ここで、４度調律弦楽器と５度調律弦楽器の違いを説明しておく。【０００８】    ここで、４度調律弦楽器と５度調律弦楽器の違いを説明しておく。
４度調律弦楽器とは、低音弦側から、最初の弦をＣ（ド）とした場合、次の弦はＦ（ファ）、その次の弦はＢ♭（シ♭）、その次の弦はＥ♭（ミ♭）・・・と、４度音程刻みで調律された弦楽器のことで、５度調律弦楽器とは、低音弦側から、最初の弦をＣ（ド）とした場合、次の弦はＧ（ソ）、その次の弦はＤ（レ）、その次の弦はＡ（ラ）・・・と５度音程刻みで調律された弦楽器のことである。
【先行技術文献】
【特許文献】
【０００９】
【特許文献１】実開平５−１７６９０号公報
【考案の概要】
【考案が解決しようとする課題】
【００１０】    以下、発明が解決しようとする課題を、音楽の中での低音域の役割を理解してもらうために、和音の出せる弦楽器ギターを例に説明していく。【００１１】    従来のギター各弦の調律音は、第６弦Ｅ２、第５弦Ａ２、第４弦Ｄ３、第３弦Ｇ３、第２弦Ｂ３、第１弦Ｅ４である。
そして、最低音は、第６弦のＥ２である。【００１２】    ギターの低音域の音程が集中している指板のローポジション（４フレット以内）において、ルート音（和音を構成する土台の音で、一番低い音）を、最低音から半音きざみで１２音階取ろうとすると、第６弦のＥ２，Ｆ２，Ｆ＃２，Ｇ２，Ａ♭２と、第５弦のＡ２，Ｂ♭２，Ｂ２，Ｃ３，Ｄ♭３、そして、第４弦のＤ３，Ｅ♭３となり、３本の弦に渡って取ることになる。【００１３】    更に、第４弦のＤ３，Ｅ♭３の音程を見てみると、ルート音としては決して十分な低さとは言えない音程にある。【００１４】    なぜなら、その上に重なるその他の和音構成音の音程も高くなってしまい、メロディー音と重なってしまう可能性があるからだ。【００１５】    これらの事このことを奏法で見てみると、第４弦でルート音を弾く場合、その他の和音構成音を弾くのに、第３弦と第２弦と第１弦で弾くパターンの一つだけだが、第６弦または、第５弦のルート音で弾く場合、その他の和音構成音を弾くのに、第３弦と第２弦と第１弦、もしくは、第４弦と第３弦と第２弦で弾く二つのパターンから選んで演奏することができる。【００１６】    したがって、伴奏で第４弦のルート音を弾く場合は、その他の和童構成音がメロディー音と重ならないように、狭い音域の中で和音構成音を探らなければならない事になる。【００１７】    そこで、第６弦をＥ２から１音下げてＤ２に調律する方法を用いたりするのだが、この方法だと、メロディーと和音構成音域の問題は解決されるのだが、６弦において他のフレットポジションでも１音下がってしまうために、今まで押さえていたコードフォーム（和音を押し弦する指の形）では６弦の音を正しく取れず、コードフォームを変えなければならない欠点がある。【００１８】    また、低音弦を追加し低音域を広げる方法だが、これもコードを押さえる弦が増える事によってコードフォームが複雑になり、今までよりも難しい演奏技術が必要となる欠点がある。【００１９】    それから、５度調律にする方法は、メロディーを弾くのには適しているが、和音を弾くには構成音の音域が広くなりすぎるため適さない調律である。【００２０】    バスギターは、全弦の弦長が長くなることによって本体サイズが大きく、演奏形態も異なる。【００２１】    本発明は、このような従来の弦楽器構造が有している問題を解決しようとするものであり、低音弦の調律を変えることなく、低音弦を増やすこともなく、更には、本体サイズも変えることなく、既存の低音弦のみで手軽に低音域を拡張したり元の音程に戻したりする事のできる弦楽器を提供することを目的とするものである。
【課題を解決するための手段】
【００２２】    以上の課題を解決するために、本発明は、指板先端に取り付けられた低音弦部分を取り除いた高音弦用ナットと、サドルからの弦長を前記高音弦用ナットより長く取った位置に設置した低音弦用ナットと、前記高音弦用ナットの低音弦部分が取り除かれた部分から前記低音弦用ナットまでの間に設置した新たな指板とを備え、前記新たな指板上の所定の位置に−１フレットを設置した弦楽器において、前記低音弦が、前記高音弦用ナットの低音弦部分が取り除かれた位置にて、ナットにより開放で出していた音程の音を、前記新たな指板上にて、押し弦することにより出せる位置に設置した０フレットを設置した事を特徴とするフレット使用弦楽器を提案するものである。
【考案の効果】
【００２３】    本発明の弦楽器は、必要最小限の低音域拡張が今までと殆ど変わらない演奏方法により実現できるため、ギターソロ、ギターデュオ、ギター弾き語り、バンドでのエレキベースなどさまざまな形態において、新たな領域の音楽創作を可能にするものである。
また、本発明は、今までと殆ど変わらない本体サイズで備えることができるため、本発明を装備した弦楽器を保管し移動するためのケースも従来のサイズのものを使用できることから、製造コストおよび販売コストの増大を抑えることができる。
【図面の簡単な説明】
【００２４】
【図１】本発明の実施形態を示すギターの全体図
【図２】本発明の実施形態を示すフォークおよびエレキギターのヘッド部斜視図
【図３】本発明の実施形態を示すフォークおよびエレキギターのヘッド部平面図
【図４】本発明の実施形態を示すフォークおよびエレキギターのヘッド部側面図
【図５】本発明の実施形態を示すクラシックギターのヘッド部斜視図
【図６】本発明の実施形態を示すエレキベースのヘッド部斜視図
【考案を実施するための形態】
【００２５】    以下、本発明を図面に示す実施の形態に基づいて詳細に説明する。
【００２６】    図１のギターは、音量の増幅を目的としたボディー１と、音程のコントロールを目的とした指板を有するネック２と、本発明の低音域の拡張を目的とした部品および弦巻を備えたヘッド３の、大きく分けて三つの部分から成っている。
【００２７】    ６本の弦は、図１のボディーのブリッジ４に片端がピン６で固定され、図２の第１弦１８から第５弦２２は、図１のサドル５を経て図２のナットａ７に支持され、図２の第６弦２３は、図１のサドル５を経て図２のナットｂ８に支持され、それぞれが図１のヘッド３にある図２の６個の弦巻１６に巻き取られている。
【００２８】    図２において、ナットａ７は、従来のナットの第６弦２３部分が取り除かれたもので、第１弦１８から第５弦２２までを支持し、調律は、第１弦１８はＥ４、第２弦１９はＢ３、第３弦２０はＧ３、第４弦２１はＤ３、第５弦２２はＡ２の音程（従来のまま）である。
【００２９】    ナットｂ８は、第６弦２３を従来の最低音Ｅ２より１音低い音程Ｄ２にするために、弦長を１音程分長くしたヘッド上の位置に備えられるナットで、指板ａ９と同じ水平方向上に伸ばされた指板ｂ１０の先端に備える。
【００３０】    その位置は、図１のサドル５からナットａ７までの弦長（＝従来の弦長）が６５０．００ｍｍの場合、図１のサドル５から、およそ７２９．６０ｍｍの位置となる。
Ｔ２＝Ｍ×（２の１２乗根）×（２の１２乗根）
≒Ｍ×１．０５９４６３１×１．０５９４６３１
≒Ｍ×１．１２２４６２
６５０．００ｍｍ×１．１２２４６２≒７２９．６０ｍｍ（理論値）
Ｔ２：図１のサドル５からナットｂ８までの弦長Ｍ：図１のサドル５から高音弦用ナットａ７までの弦長＝従来の弦長２の１２乗根：１オクターブを均等な１２の半音に分けた音律（十二平均律）
【００３１】    また、ギターなどフレット使用弦楽器には、指板ｂ１０上に、０フレット１１と−１フレット１２を備える。
【００３２】    −１フレット１２の位置は、図１のサドル５からナットａ７までの弦長（＝従来の弦長）が６５０．００ｍｍのギターの場合、図１のサドル５から、およそ６８８．６５ｍｍの位置となる。
Ｔ１＝Ｍ×（２の１２乗根）
≒Ｍ×１．０５９４６３１
６５０．００ｍｍ×１．０５９４６３１≒６８８．６５ｍｍ（理論値）
Ｔ１：図１のサドル５から−１フレット１２位置までの弦長
【００３３】    ここで、０フレット１１の位置は、ナットａ７と指板ａ９の接触面にはならない事を説明する。
【００３４】    なぜなら、指で押し弦することによって音を出すフレットでは、弦に張力が加わる事により理論値の位置では音程が僅かに高くなる。
【００３５】    そのため、押し弦しなくては音を出せない０フレット１１の位置は、押し弦しなくても音を出せるナットａ７の位置より僅かにナットｂ８方向よりの位置になる。
押し弦による張力の係数を１．００５とすると、サドル５から０フレット１１までの弦長は６５３．２５ｍｍとなる。
６５０．００ｍｍ×１．００５＝６５３．２５ｍｍ
【００３６】      同じように押し弦する−１フレット１２の位置も、理論値より僅かにナットｂ８方向よりの位置になる。
押し弦による張力の係数を１．００５とすると、サドル５から−１フレット１２までの弦長は６８８．６５ｍｍとなる。
６８８．６５ｍｍ×１．００５≒６９２．０９ｍｍ
【００３７】    また、それらの位置は、弦の太さによっても張力が異なってくるため、サドルを削るなどして各弦の弦長は微調整される。
【００３８】    ところで、この０フレットの位置について、文献１では、ナットとフレットを区別せず、ナットも高さが変わるだけのフレットとして捉え、本発明の図面でいう０フレット１１の位置は、ナットａ７と指板ａ９の接触面になっている。
【００３９】    しかし、フレットとは、指で押し弦し新たな張力を加える事によって音を出す部品で、最初から支持し何も張力を加えないで音を出す部品のナットとでは機能が異なり区別されるべき部品である。
【００４０】    したがって、文献１の０フレットの位置では、上記フレットの機能により音程が高い方にずれ正しい音程にはならない。
【００４１】    図２の第６弦２３の弦巻１６を取り付けるための傾斜台１３は、弦巻１６の軸に対して直角に第６弦２３を巻き取れるようにするためのものである。
【００４２】    図２の滑車１４は、指板ｂ１０の土台が障壁となって直接弦巻１６の軸に巻き取れない５弦２２を、その障壁を避けて弦巻きに導くためのものである。
【００４３】    図２のカポタスト取り付け台１５は、第６弦２３を従来のギターと同じＥ２にするために、０フレット１１にカポタスト（弦を常に押し弦状態にするための機具）を装着するための台である。
【００４４】    図５は、本発明の部品を備えたクラシックギターのヘッド部の斜視図である。
最低音は、従来よりも１音程低いＤ２である。
【００４５】    図６は、本発明の部品を備えたエレキベースのヘッド部の斜視図である。
最低音は、従来よりも１音程低いＤ１である。
従来のエレキベースの調律は、第４弦２１Ｅ１、第３弦２０Ａ１、第２弦１９Ｄ２、第１弦１８Ｇ２である。
【実施例】
【００４６】    ここで、実際の演奏例により本発明ギターの特徴を説明する。【００４７】    ｜Ｃ  ｜ＧｏｎＢ  ｜Ａｍ  ｜ＥｍｏｎＧ  ｜Ｆ  ｜Ｅｍ  ｜Ｄｍ７  ｜Ｇ７  ｜と
いうようなルート音が徐々に下降していくコード進行があるとする。【００４８】    これを従来のギターを使ってローポジションで伴奏した場合のルート音は、｜Ｃ  ｜ＧｏｎＢ  ｜Ａｍ  ｜の所は第５弦２２を弾き、｜ＥｍｏｎＧ  ｜Ｆ  ｜Ｅｍ  ｜の所は第６弦２３を弾き、ここまでは徐々に下降していくルート音取りができるのだが、｜Ｄｍ７  ｜の所で１オクターブ高い第４弦２１を弾かならなければならなくなり、それまでのルート音の自然な流れが崩れてしまう。【００４９】    しかし、本発明のギターを使ってローポジションで伴奏した場合のルート音では、｜Ｃ  ｜ＧｏｎＢ  ｜Ａｍ  ｜の所は第５弦２２を弾き、｜ＥｍｏｎＧ  ｜Ｆ  ｜Ｅｍ  ｜から｜Ｄｍ７  ｜の所まで第６弦２３のみで弾けるようになるため、徐々に下降していく自然な流れのルート音取りが出来るようになる。【００５０】    また、別のコード進行で見てみる。
｜Ａｍ７  ｜Ｄ７  ｜Ｂ７ｏｎＤ＃  ｜Ｅｍ  ｜Ａｍ７  ｜Ａｍ７ｏｎＤ  ｜Ｇ  ｜というような５度進行しているコード進行があるとする。【００５１】    これを従来のギターを使って、ローポジションで伴奏した場合のルート音を見てみると、｜Ａｍ７  ｜は第５弦２２を弾き、｜Ｄ７  ｜Ｂ７ｏｎＤ＃  ｜Ｅｍ  ｜は第４弦２１を弾き、｜Ａｍ７  ｜は第５弦２２を弾き、｜Ａｍ７ｏｎＤ  ｜は第４弦２１を弾き、｜Ｇ  ｜は第６弦２３を弾くことになる。【００５２】    同じように、本発明のギターを使ってローポジションで伴奏した場合のルート音を見てみると、従来のギターと同じルート音の取り方も出来るのだが、他に、｜Ａｍ７  ｜は第５弦２２を弾き、｜Ｄ７  ｜Ｂ７ｏｎＤ＃  ｜Ｅｍ  ｜は第６弦２３を弾き、｜Ａｍ７  ｜は第５弦２２を弾き、｜Ａｍ７ｏｎＤ  ｜Ｇ  ｜は第６弦２３を弾くという低い方でのルート音取りも可能になり、低音域で安定感のあるパターンも使えるようになる。【００５３】    尚、本発明を装備しないギターと同じ低音域で演奏したい場合には、カポタスト取り付け台１５を利用し、０フレット１１をカポタストで常に押し弦しておくことによって容易に可能となる。
【符号の説明】
【００５４】  １  ボディー
２  ネック
３  ヘッド
４  ブリッジ
５  サドル
６  ピン
７  ナットａ
８  ナットｂ
９  指板ａ
１０  指板ｂ
１１  ０フレット
１２  −１フレット
１３  ６弦用弦巻取り付け傾斜台
１４  ５弦用誘導滑車
１５  カポタスト取り付け台
１６  弦巻
１７  １フレット
１８  １弦
１９  ２弦
２０  ３弦
２１  ４弦
２２  ５弦
２３  ６弦
【図１】
0003174847.tif 000003
【図２】
0003174847.tif 000004
【図３】
0003174847.tif 000005
【図４】
0003174847.tif 000006
【図５】
0003174847.tif 000007
【図６】
0003174847.tif 000008